(57)【要約】【課題】組付作業性の向上を図るとともに、部品点数を少なくすることができるシフトレバー装置を提供する。【解決手段】シフトレバー３を揺動可能に軸支する本体ケース２と、板面上にＡ／Ｔポジション用スイッチ端子６１や電気部品６５が載置された回路基板６と、この回路基板６を収容部７１に収容した状態で本体ケース２に組付けられる基板カバー７と、スイッチ端子６１と接触する接触端子５１を有し、シフトレバー３に追従する位置検知レバー５とを備え、これらの回路基板６、基板カバー７および位置検知レバー５をハーネスレスユニット８として一体化した状態で、基板カバー７を本体ケース２に組付ける。【選択図】図１
2013112251.tif 000002
【特許請求の範囲】
【請求項１】
シフトレバーをシフト方向に沿って揺動可能に軸支する本体ケースと、
板面上に電気部品が載置された回路基板と、
該シフトレバーとともにシフト方向に沿って揺動する位置検知レバーと
底板と該底板の外周に立設される外枠部とで、口の開いた箱形状に形成され、内部に設けられた収容部に、該回路基板と、該位置検知レバーとを収容した状態で該本体ケースに組付けられる基板カバーと、
該回路基板と該位置検知レバーとの間に、該位置検知レバーの位置を検出する位置検知手段とを備え、
該位置検知レバーは、基端側に該シフトレバーのシフト回転軸に軸支される軸部と、先端側に鉤形状を有する鉤部を備え、
該外枠部は、該収容部に収容された該位置検知レバーの該軸部と該鉤部をそれぞれ保持する軸保持部、および鉤保持部を備えたことを特徴とするシフトレバー装置。
【請求項２】
請求項１に記載のシフトレバー装置において、
前記鉤保持部は、前記外枠部にシフト方向に沿って開口する長孔を有し、
前記鉤部は、該長孔を前記収容部側から挿通しつつ、先端部が該外枠部の外面に当接可能な鉤形状に形成されたことを特徴とするシフトレバー装置。
【請求項３】
請求項１に記載のシフトレバー装置において、
前記位置検知レバーは、前記基板カバーの底板内面に当接可能に突出する規制突起を有し、
前記鉤保持部は、前記外枠部にシフト方向に沿って開口する長孔を有し、
前記鉤部は、該長孔を前記収容部側から挿通しつつ、先端部が該底板内面に対向する該長孔の孔壁に当接可能に形成されたことを特徴とするシフトレバー装置。
【請求項４】
請求項１に記載のシフトレバー装置において、
前記位置検知レバーは、前記シフト回転軸の軸方向に沿って突出する規制軸部を有し、
前記基板カバーは、該シフト回転軸を中心とする円弧形状に開口し、該規制軸部が挿入された状態で該位置検知レバーが揺動可能となる円弧孔を備え、
該位置検知レバーの前記軸部と該規制軸部との間に、該基板カバーの前記軸保持部が配置されることを特徴とするシフトレバー装置。
【発明の詳細な説明】
【技術分野】
【０００１】
本発明は、揺動操作によりシフト位置を切換えるシフトレバーを備えたシフトレバー装置に関する。
【背景技術】
【０００２】
従来、シフトレバー装置として、端子を有する回路基板（プリント基板）と、前記端子に摺接する接触端子を有し、シフトレバーに追従する可動体とを備え、シフトレバーの位置を電気的に検出するものがある（例えば、特許文献１、および特許文献２参照）。
【０００３】
特許文献１に記載されるポジション信号発生装置１０１は、シフトレバー装置（図示せず）に設けられており、図５および図６に示すように、ボディおよび基板カバーからなるハウジング１０２を有している。このハウジング１０２には、複数の導電板１０３を有する回路基板１０４と、導電板１０３に摺接する複数の接触片１０５を有する可動体１０６とが内蔵されており、この可動体１０６は、揺動可能に設けられている。ハウジング１０２は挿通孔１０７を有し、可動体１０６はリング状部１０８を有し、シフトレバーを回動する軸が挿通されている。
【０００４】
また、特許文献２に記載されるシフトレバー装置２０１は、図７に示すように、本体ケース（図示せず）に固定される回路基板２０２と、この回路基板２０２に装着されるＡ／Ｔポジション用インジケータスイッチ２０３と、このインジケータスイッチ２０３に連結され、シフトレバー（図示せず）に追従する位置検知レバー２０４とを備えている。インジケータスイッチ２０３は、回路基板２０２上の接点群２１１に摺接する可動接点２０５を有し、可動接点２０５を回路基板２０２に対して横方向摺動自在な摺動子２０６と、これらの可動接点２０５および摺動子２０６を収容し、回路基板２０２に取付けられるインジケータスイッチケース２０７とを備えている。摺動子２０６は、回路基板２０２から離れる方向に延びる突部２０８を有するとともに、インジケータスイッチケース２０７は、横方向に延びて突部２０８が挿通される長孔２０９を有し、位置検知レバー２０４は、長手方向に延びて突部２０８が挿通される長孔２１０を有している。
【先行技術文献】
【特許文献】
【０００５】
【特許文献１】特開平６−２８０９７３号公報
【特許文献２】特開平９−１１２６７０号公報
【発明の概要】
【発明が解決しようとする課題】
【０００６】
ところで、特許文献１に記載の技術にあっては、ハウジング１０２、回路基板１０４および可動体１０６からなるユニット化されたポジション信号発生装置１０１であり、ハウジング１０２として基板カバーとともにボディを要するので部品点数が多いという問題がある。
【０００７】
また、特許文献２に記載の技術にあっては、本体ケースに固定される回路基板２０２上に別部品として可動接点２０５、摺動子２０６、インジケータスイッチケース２０７および位置検知レバー２０４を組み付ける必要があるため、組付作業性が劣るという問題がある。
【０００８】
本発明は、上記事情を考慮し、組付作業性の向上を図るとともに、部品点数を少なくすることができるシフトレバー装置を提供することを目的とする。
【課題を解決するための手段】
【０００９】
請求項１の発明は、シフトレバーをシフト方向に沿って揺動可能に軸支する本体ケースと、板面上に電気部品が載置された回路基板と、該シフトレバーとともにシフト方向に沿って揺動する位置検知レバーと底板と該底板の外周に立設される外枠部とで、口の開いた箱形状に形成され、内部に設けられた収容部に、該回路基板と、該位置検知レバーとを収容した状態で該本体ケースに組付けられる基板カバーと、該回路基板と該位置検知レバーとの間に、該位置検知レバーの位置を検出する位置検知手段とを備え、該位置検知レバーは、基端側に該シフトレバーのシフト回転軸に軸支される軸部と、先端側に鉤形状を有する鉤部を備え、該外枠部は、該収容部に収容された該位置検知レバーの該軸部と該鉤部をそれぞれ保持する軸保持部、および鉤保持部を備えたことを特徴としている。
【００１０】
請求項２の発明は、請求項１に記載のシフトレバー装置において、前記鉤保持部は、前記外枠部にシフト方向に沿って開口する長孔を有し、前記鉤部は、該長孔を前記収容部側から挿通しつつ、先端部が該外枠部の外面に当接可能な鉤形状に形成されたことを特徴としている。
【００１１】
請求項３の発明は、請求項１に記載のシフトレバー装置において、前記位置検知レバーは、前記基板カバーの底板内面に当接可能に突出する規制突起を有し、前記鉤保持部は、前記外枠部にシフト方向に沿って開口する長孔を有し、前記鉤部は、該長孔を前記収容部側から挿通しつつ、先端部が該底板内面に対向する該長孔の孔壁に当接可能に形成されたことを特徴としている。
【００１２】
請求項４の発明は、請求項１に記載のシフトレバー装置において、前記位置検知レバーは、前記シフト回転軸の軸方向に沿って突出する規制軸部を有し、前記基板カバーは、該シフト回転軸を中心とする円弧形状に開口し、該規制軸部が挿入された状態で該位置検知レバーが揺動可能となる円弧孔を備え、該位置検知レバーの前記軸部と該規制軸部との間に、該基板カバーの前記軸保持部が配置されることを特徴としている。
【発明の効果】
【００１３】
請求項１の発明において、板面上に電気部品が載置された回路基板を、基板カバーの収容部に収容するとともに、外枠部に設けた軸保持部で位置検知レバーの軸部を保持しつつ、外枠部に設けた鉤保持部で位置検知レバーを保持することにより、位置検知レバーが基板カバーで仮保持される。このようにして回路基板、基板カバーおよび位置検知レバーを、複数の電気回路が実装される回路基板を有するハーネスレスユニットとして一体化した状態で、基板カバーを本体ケースに組付けることにより、組付作業中に位置検知レバーが基板カバーから脱落することなく、容易に前記ハーネスレスユニットを装着できるので、組付作業性の向上を図ることができる。また、回路基板を基板カバーの収容部に収容した状態で基板カバーを本体ケースに組付けるため、従来のようにボディおよび基板カバーから構成されたハウジングに回路基板を収容する場合と比べて、ボディが必要なくなるので部品点数の削減および小型化、さらには組付作業性の向上を図ることができる。
【００１４】
請求項２の発明において、位置検知レバーのＬ字形鉤部を外枠部に設けた鉤保持部の長孔に挿通させて、鉤部の先端部を外枠部の外面に当接させることにより、位置検知レバーが収容部に保持されるので、部品点数を増やすことなく、しかも簡単な構造で位置検知レバーを基板カバーに仮保持できる。
【００１５】
請求項３の発明において、位置検知レバーの規制突起が基板カバーの底板内面に当接することにより、位置検知レバーのシフト方向に直交する一方向への傾倒動作が抑制される。また、位置検知レバーの鉤部が底板内面に対向する長孔の孔壁に当接することにより、位置検知レバーのシフト方向に直交する他方向への傾倒動作が抑制される。
【００１６】
これにより、基板カバーに収容される回路基板と、揺動する位置検知レバーとのシフト方向に直交する方向の間隔を一定に保つことができるため、回路基板と位置検知レバーとの間に設置される位置検知手段による検出精度を安定させることができる。
【００１７】
請求項４の発明において、位置検知レバーに設けられる規制軸部を基板カバーの軸保持部円弧孔に挿入することにより、軸部と規制軸部との間に基板カバーの軸保持部が配置されるので、位置検知レバーのシフト回転軸を中心とする径方向の移動が基板カバーで規制される。これにより、基板カバーに収容される回路基板と、揺動する位置検知レバーとの径方向の間隔を一定に保つことができるため、回路基板と位置検知レバーとの間に設置される位置検知手段による検出精度を安定させることができる。また、位置検知レバーを基板カバーに仮保持する際、位置検知レバーの軸部と規制軸部で基板カバーの軸保持部を挟み込む状態で、確実に位置検知レバーを基板カバーに組付けることができる。なお、位置検知レバーがシフトレバーのシフト回転軸を中心として揺動する場合、位置検知レバーの規制軸部が基板カバーの円弧孔内を移動することにより、位置検知レバーの揺動動作が許容される。
【図面の簡単な説明】
【００１８】
【図１】本発明の第１実施形態を示し、シフトレバー装置の分解斜視図である。
【図２】本発明の第１実施形態を示し、要部の分解斜視図である。
【図３】本発明の第１実施形態を示し、要部の断面図である。
【図４】本発明の第２実施形態を示し、シフトレバー装置の要部の斜視図である。
【図５】シフトレバー装置の第１従来例を示す正面図である。
【図６】シフトレバー装置の第１従来例を示し、可動体の正面図である。
【図７】シフトレバー装置の第２従来例を示し、要部の分解斜視図である。
【発明を実施するための形態】
【００１９】
以下、本発明の実施の形態を図面を参照して説明する。
【００２０】
＜第１実施形態＞
本実施形態のシフトレバー装置１は、自動変速機（図示せず）に設定されている複数のレンジを所望するレンジに切り替えるためのもので、自動変速機には、パーキング（Ｐ）レンジ、リバース（Ｒ）レンジ、ニュートラル（Ｎ）レンジ、ドライブ（Ｄ）レンジが、シフト方向（車両前後方向）に沿って前から順に設定されている。また、Ｄレンジには、自動変速（Ａ／Ｔ）モードとマニュアル（Ｍ）モードが設定されており、シフト方向に直交するセレクト方向（車幅方向）に沿って配置されている。なお、Ｍモードでは、シフト方向にシフトアップ（＋）とシフトダウン（−）の操作が行なえるようになっている。
【００２１】
シフトレバー装置１は、図１〜図３に示すように、本体ケース２と、基端部がシフト回転軸３１によって本体ケース２に揺動自在に軸支されたシフトレバー３と、シフト方向に揺動するシフトレバー３に追従するセレクトレバー４および位置検知レバー５と、シフトレバー３のシフト方向に沿って配置される回路基板６と、内部に回路基板６が収容される収容部７１を備えた基板カバー７とを有している。
【００２２】
シフトレバー３は、その側面に、シフトレバー３のシフト方向に沿った揺動面に対して直交するように四角柱状の連係突起３２が突設されている。シフト回転軸３１には、シフト方向に沿ってセレクト回転軸３３が設けられて、シフトレバー３のセレクト方向の揺動を可能にしている。
【００２３】
セレクトレバー４は、シフト回転軸３１の一端が嵌合される軸孔４１と、位置検知レバー５に設けられた連係軸５５の一端が係合される係合孔４２と、連係突起３２が挿入される連係孔４３とを備えており、これらの孔４１〜４３は、それぞれセレクトレバー４の揺動面に対して直交して貫通している。連係孔４３は、連係突起３２が挿入および離脱可能に、且つシフトレバー３がシフト方向に揺動する際に、連係突起３２と係合可能に形成されている。そして、Ａ／Ｔモード位置に移動した状態では、連係突起３２が連係孔４３に挿入、連係し、一方、シフトレバー３がマニュアルモード位置に移動した状態では、連係突起３２が連係孔４３から抜け出て、連係が解除される。
【００２４】
また、セレクトレバー４は、自動変速機（図示せず）から伸延される変速ケーブル（図示せず）の先端が連結されるワイヤ固定部４４を備え、セレクトレバー４が揺動することにより、変速ケーブルを介して自動変速機が操作されるのでレンジが切り替わる。
【００２５】
基板カバー７は、平板状の底板７０と底板７０の外周に立設される外枠部７２とで、口の開いた箱形状に形成されている。また、基板カバー７の底板内面７６には、収容部７１内へ突設され、回路基板６の取付孔６３に嵌入される複数本の段付軸状突起７７が設けられている。外枠部７２には、本体ケース２の係合部（図示せず）に係合可能に形成された複数の係止爪７８が設けられている。また、外枠部７２は、位置検知レバー５を軸支する軸保持部７３、および位置検知レバー５を保持する鉤保持部７４を備えている。軸保持部は、後述する位置検知レバー５の軸部５２の外周形状に沿った円弧状の凹部からなり、回動する軸部５２に当接、保持している。鉤保持部７４は、外枠部７２に形成され、シフト方向に延びる長孔７５を有している。そして、基板カバー７は、外周に形成された外枠部７２により、内部に凹形状の収容部７１が形成され、回路基板６と、位置検知レバー５を収容部７１に収容した状態で、外枠部７２に形成された係止爪７８により、本体ケース２の側壁に組付けられる。
【００２６】
位置検知レバー５は、レバー本体５０の中央部に配置され、位置検知手段を構成し、回路基板６に設けられたＡ／Ｔポジション用スイッチ端子６１に接触する接触端子５１と、レバー本体５０の基端側に円柱状に配置され、シフトレバー３のシフト回転軸３１に軸支され、且つ基板カバー７の軸保持部７３に保持される軸部５２と、基板カバー７側へクランク状に屈曲するレバー本体５０の先端側に配置され、基板カバー７の鉤保持部７４に係合する鉤部５３と、基板カバー７の底板内面７６に当接可能な規制突起５４とを有している。
【００２７】
鉤部５３は、位置検知レバー５の長手方向に沿って延びる腕部５３ａと、この腕部５３ａから略直角に屈曲する先端部５３ｂとからなり、鉤形状に形成されている。腕部５３ａは、底板内面７６に対向する長孔７５の孔壁７５ａに当接可能に、鉤保持部７４の長孔７５を収容部７１側から挿通される。また、先端部５３ｂは、腕部５３ａを長孔７５に挿通した状態で、外枠部７２の外面に当接するように孔壁７５ａに向かって屈曲している。
【００２８】
規制突起５４は、レバー本体５０のクランク状部分の基板カバー７側に屈曲する部位に、基板カバー７の底板内面７６に当接可能に突設されている。規制突起５４の突出量は、規制突起５４が底板内面７６に当接した状態で、Ａ／Ｔポジション用スイッチ端子６１と接触端子５１との間隔が適正になるように設定されている。
【００２９】
また、位置検知レバー５は、セレクトレバー４の方向に突出する連係軸５５を有し、この連係軸５５がセレクトレバー４に係合することにより、位置検知レバー５がセレクトレバー４と連動して揺動する。
【００３０】
回路基板６は、一面側である実装面側に位置検知手段を構成するＡ／Ｔポジション用スイッチ端子６１や、スイッチ６２、ソレノイド６５等の電気部品６４が配設され、他面側である配線面側に配線（図示せず）が配索されている。また、回路基板６の外周の近傍には、複数の取付孔６３が設けられている。
【００３１】
つまり、位置検知手段は、回路基板６に配設されるＡ／Ｔポジション用スイッチ端子６１と、Ａ／Ｔポジション用スイッチ端子６１に接触する位置検知レバー５に配設された接触端子５１とで構成され、接触端子５１が接触するＡ／Ｔポジション用スイッチ端子６１の端子の位置から、シフトレバー３のレンジ位置が検出される。
【００３２】
上記構成により、板面上に電気部品６５が載置された回路基板６を、基板カバー７の収容部７１に収容するとともに、この収容部７１内へ突設される複数本の段付軸状突起７７を、回路基板６の取付孔６３に挿入することにより、基板カバー７に対して回路基板６を段付軸状突起７７の弾付部７７ａにて位置決めして取付ける。次いで、位置検知レバー５の腕部５３ａを鉤保持部７４の長孔７５に収容部側から挿通し、先端部５３ｂを外枠部７２の外面に当接、係合させるとともに、基板カバー７の軸保持部７３で位置検知レバー５の軸部５２を保持することによって、位置検知レバー５が基板カバー７で仮保持される。このようにして複数の電気部品６５が実装される回路基板６、基板カバー７、および位置検知レバー５をハーネスレスユニット８として一体化する。
【００３３】
次いで、セレクトレバー４およびシフトレバー３などを本体ケース２に組付けるとともに、ハーネスレスユニット８の基板カバー７を本体ケース２の側壁に組付けながら、位置検知レバー５の連係軸５５の一端をセレクトレバー４の係合孔４２に係合させ、軸部５２にシフトレバー３のシフト回転軸３１を嵌入させて、基板カバー７の係止爪７８を本体ケース２に係止させることにより、ハーネスレスユニット８を本体ケース２に装着する。
【００３４】
以上、説明したように、本発明によれば、回路基板６、基板カバー７および位置検知レバー５をハーネスレスユニット８として一体化した状態で、基板カバー７を本体ケース２に組付けて、基板カバー７の係止爪７８を本体ケース２に係止させることにより、組付作業中に位置検知レバー５が基板カバー７から脱落することなく、ワンタッチでハーネスレスユニット８を装着できるので、組付作業性の向上を図ることができる。
【００３５】
また、回路基板６を基板カバー７の収容部７１に収容した状態で基板カバー７を本体ケース２に組付けるので、従来のようにボディおよび基板カバーから構成されたハウジングに回路基板を収容する場合と比べて、ボディが必要なくなり、部品点数の削減および小型化、さらには組付作業性の向上を図ることができる。
【００３６】
また、鉤部５３の腕部５３ａを外枠部７２の長孔７５に挿通させて、鉤部５３の先端部５３ｂを外枠部７２の外面に当接させることにより、位置検知レバー５を基板カバー７で保持できるので、部品点数を増やさずに、しかも簡単な構造で位置検知レバー５を仮保持できる。
【００３７】
また、図３に示すとおり、位置検知レバー５の規制突起５４が基板カバー７の底板内面７６に当接することにより、位置検知レバー５のシフト方向に直交する一方向への傾倒動作が抑制されるとともに、鉤部５３の腕部５３ａが長孔７５の孔壁７５ａに当接することにより、位置検知レバー５のシフト方向に直交する他方向への傾倒動作が抑制されるので、回路基板６の板面上に実装されるＡ／Ｔポジション用スイッチ端子６１と、位置検知レバー５に設けられる接触端子５１とシフト方向に直交する方向の間の隙間を一定に保つことができる。これにより、Ａ／Ｔポジション用スイッチ端子６１と接触端子５１による検出精度を安定させることができる。
【００３８】
なお、本実施形態では、位置検知手段が、Ａ／Ｔポジション用スイッチ端子６１と接触端子５１とからなる接触型の電気部品で構成されているが、磁気を検知する非接触型のセンサを用いることも可能であり、同様の作用効果が得られるとともに、端子同士の摺動による摩耗を考慮する必要が無いという利点を有する。
【００３９】
＜第２実施形態＞
前述の第１実施形態に対して、第２実施形態のシフトレバー装置の大きく異なる点は、位置検知レバー５Ａおよび基板カバー７Ａの構成であり、シフトレバー３、セレクトレバー４および回路基板６の構成は、前述の第１実施形態と同様である。また、第２実施形態において第１実施形態と同様の構成には同一符号が付されている。さらに、図４では位置検知レバー５Ａの構造を説明するため基板カバー７Ａをその一部を取り除いた状態で示している。
【００４０】
図４に示すように本実施形態のシフトレバー装置１Ａでは、位置検知レバー５Ａの軸部５２の近傍に、軸方向（セレクト方向）へ突出する複数本の規制軸部５６が設けられている。また、基板カバー７Ａの軸保持部７３の近傍に、シフト回転軸３１を中心とする円弧形状に開口し、規制軸部５６が挿入された状態で位置検知レバー５が揺動可能となる円弧孔７９が形成されている。
【００４１】
本実施形態では、位置検知レバー５Ａの軸部５２の近傍に設けられる規制軸部５６を基板カバー７Ａの軸保持部７３の近傍に設けられる円弧孔７９に挿入することにより、位置検知レバー５Ａの軸部５２と規制軸部５６の間に、基板カバー７Ａの軸保持部７３が配置されるので、位置検知レバー５Ａのシフト回転軸３１を中心とする径方向の移動が基板カバー７Ａで規制される。これにより、基板カバー７Ａに収容される回路基板６と、揺動する位置検知レバー５Ａとの径方向の間隔を一定に保つことができるため、Ａ／Ｔポジション用スイッチ端子６１と接触端子５１による検出精度を安定させることができる。
【００４２】
また、位置検知レバー５Ａがシフトレバー３のシフト回転軸３１を中心として揺動する際に、位置検知レバー５Ａの規制軸部５６が基板カバー７Ａの円弧孔７９の孔に沿って移動することにより、位置検知レバー５Ａの揺動動作が許容される。
【００４３】
以上の構成によって、位置検知レバー５Ａの上下方向の移動が規制され、回路基板６上のＡ／Ｔポジション用スイッチ端子６１に対して位置検知レバー５Ａの接触端子５１が上下方向へずれることを抑制できるので、Ａ／Ｔポジション用スイッチ端子６１と接触端子５１による検出精度をより安定させることができる。
【００４４】
また、以上の構成によって、位置検知レバー５Ａを基板カバー７Ａに仮保持する際、位置検知レバー５Ａの軸部５２と規制軸部５６により基板カバー７Ａの軸保持部７３を挟み込む状態で、確実に位置検知レバー５Ａを基板カバー７Ａに組付けることができるので、組付作業性の向上を図れる。
【符号の説明】
【００４５】
１、１Ａ  シフトレバー装置
２  本体ケース
３  シフトレバー
５、５Ａ  位置検知レバー
６  回路基板
７、７Ａ  基板カバー
３１  シフト回転軸
５１  接触端子（位置検知手段）
５２  軸部
５３  鉤部
５３ｂ  先端部
５４  規制突起
５６  規制軸部
６１  Ａ／Ｔポジション用スイッチ端子（位置検知手段）
６２  スイッチ（電気部品）
６４  ソレノイド（電気部品）
７１  収容部
７２  外枠部
７３  軸保持部
７４  鉤保持部
７５  長孔
７９  円弧孔
【図１】
2013112251.tif 000003
【図２】
2013112251.tif 000004
【図３】
2013112251.tif 000005
【図４】
2013112251.tif 000006
【図５】
2013112251.tif 000007
【図６】
2013112251.tif 000008
【図７】
2013112251.tif 000009